(57)【要約】      （修正有）【課題】１台のテレビオッズ装置で、複数の競技情報を表示させ、投票する競技を選択する情報をファンに提供する。【解決手段】テレビオッズ装置１０は、複数の情報サーバ４ａ，４ｂ，４ｃから配信される業種毎の競技情報を受信する複数の通信制御部１２ａ，１２ｂ，１２ｃと、業種毎の競技情報を編集して１画面表示の映像信号を出力する画面編集手段１３ａ〜１３ｃ、１５、１６と、画面編集手段で編集された１画面表示の映像信号を場内映像設備２０へ出力する画面出力部１７と、を有する。【効果】ファンは、投票する競技を選択する情報を１台のテレビオッズ装置で得ることが可能となり、ファンサービスの向上に供すると共に、主催者にとっては、投票券の売上の向上が期待できる。【選択図】図２
2015222462.tif 000002
【特許請求の範囲】
【請求項１】
複数の情報サーバから配信される業種毎の競技情報を受信する複数の通信制御部と、
前記業種毎の競技情報を編集して１画面表示の映像信号を出力する画面編集手段と、
前記画面編集手段で編集された１画面表示の映像信号を場内映像設備へ出力する画面出力部と、
を有することを特徴とするテレビオッズ装置。
【請求項２】
前記画面編集手段は、
前記複数の通信制御部により受信した各前記競技情報から少なくとも、開催情報及び併売数を含む競技情報を抽出する複数の情報制御部と、
抽出された前記競技情報に基づいて前記１画面表示における表示パターンのスケジュールをセットするスケジュール制御部と、
前記スケジュール制御部によりセットされた表示パターンのスケジュールに従って１画面表示の映像信号を編集する画面制御部と、
を有することを特徴とする請求項１に記載のテレビオッズ装置。
【請求項３】
開催業種数及び前記併売数に応じた各業種の各競技場のチャンネル数を割り付けたチャンネル数割付テーブルを有し、
前記スケジュール制御部は、
前記チャンネル数割付テーブルに基づいて、１画面表示において各開催業種の競技場のレースに割り付けるチャンネル数を決定することを特徴とする請求項２に記載のテレビオッズ装置。
【請求項４】
どの競技場のレースを優先してチャンネルの割り付けをするかを指定する優先順位指定テーブルを更に有し、
前記スケジュール制御は、
前記チャンネル数割付テーブルに基づいて、各開催業種の競技場のレースに割り付けてる合計のチャンネル数が、前記画像出力部が出力し得る最大チャンネル数を超える場合に、前記優先順位指定テーブルに従って、前記最大チャンネル数を超えないように、各開催業種の競技場のレースにチャンネル割り付けを行うことを特徴とする請求項３に記載のテレビオッズ装置。
【請求項５】
前記スケジュール制御部は、
抽出された前記競技情報中の各業種の開催レースの投票締切時刻、結果確定時刻に基づいて、表示パターンのスケジュールをセットすることを特徴とする請求項２に記載のテレビオッズ装置。
【請求項６】
前記１画面表示は、
異業種のレースの進行状況の一覧表示、異業種のレースのオッズ情報の一覧表示、及び異業種のレースのレース結果の一覧表示のうちの１つ以上を含むことを特徴とする請求項１又は２に記載のテレビオッズ装置。
【請求項７】
競技毎の競技情報をそれぞれ提供する各業種の主催者センターと、
前記各業種の主催者センターに専用ネットワークを介してそれぞれ接続され、前記各主催者センターから提供される前記競技情報を配信する複数の情報サーバと、
各地域の場外投票券発売所に設置され、前記複数の情報サーバから配信される競技毎の前記競技情報を受信して、受信した前記競技毎の競技情報を編集して１画面表示の映像信号を出力するテレビオッズ装置と、
前記１画面表示の映像信号に基づいて複数の競技を１画面表示する場内モニタと、
を備えることを特徴とするテレビオッズシステム。
【請求項８】
前記テレビオッズ装置は、
どの競技場のレースを優先してチャンネルの割り付けをするかを指定する優先順位指定テーブルを有し、
前記優先順位指定テーブルにおけるチャンネル割り付けの優先順位は、設置されている前記場外投票券発売所の所在地毎に、指定されることを特徴とする請求項７に記載のテレビオッズシステム。
【請求項９】
前記場内モニタは、
異業種のレースの進行状況を一覧表示することを特徴とする請求項７又は８に記載のテレビオッズシステム。
【請求項１０】
前記進行状況の一覧表示は、
競技場とレース番号を表示する欄が、各業種のレースの投票締切時刻までの時間の順番に合った配列であることを特徴とする請求項９に記載のテレビオッズシステム。
【請求項１１】
前記場内モニタは、
異業種のレースのオッズ情報を一覧表示することを特徴とする請求項７に記載のテレビオッズシステム。
【請求項１２】
前記オッズ情報の一覧表示は、
各業種の開催中レースについて、全賭け式の前記オッズ情報が人気の高い順に配列されていることを特徴とする請求項１１に記載のテレビオッズシステム。
【請求項１３】
前記場内モニタは、
異業種のレースのレース結果を一覧表示することを特徴とする請求項７に記載のテレビオッズシステム。
【請求項１４】
各競技の開催情報及び併売数を取得する第１処理と、
前記開催情報と前記併売数により表示パターンをセットしてスケジュールを選択する第２処理と、
前記第２処理により選択されたスケジュールに従って、複数の情報サーバから受信した競技毎の競技情報を編集して１画面表示の映像信号を出力する第３処理と、
を有することを特徴とする競技情報の配信方法。
【請求項１５】
各競技種目の開催情報及び併売数を取得する第１処理と、
前記開催情報と前記併売数により表示パターンをセットしてスケジュールを選択する第２処理と、
前記第２処理により選択されたスケジュールに従って、複数の情報サーバから受信した競技毎の競技情報を編集して１画面表示の映像信号を出力する第３処理と、
をテレビオッズ装置のコンピュータに実行させるプログラム。
【発明の詳細な説明】
【技術分野】
【０００１】
本発明は、テレビオッズ装置、テレビオッズシステム、競技情報の配信方法及びプログラムに関する。
【背景技術】
【０００２】
日本各地に分布する公営競技の投票券売場には、ファンが投票をする際の情報（オッズ情報）を生成するテレビオッズ装置が設置されている。従来のテレビオッズ装置は、公営競技１競技（業種）毎に１台の装置が設置され、各競技（業種）毎の上位システムの情報サーバより開催要項、各イベント、表示ファイル等を受信し、予め決められた表示パターンを手動で切り替えて、場内映像設備にオッズ、払戻金、成績情報等を配信する独立制御であった。
【０００３】
特許文献１には、公営競技の投票場報に基づいて、賭式毎に組番の各々に対するオッズを算出し、全賭け式別について人気の高い順のオッズと的中状況を投票者に提供するための映像を作成して各モニタに配信する（テレビオッズ装置）表示システムが提案されている。
【０００４】
ところで、最近、地方では、売上の低迷により、複数競技の公営競技の投票券を発売する公営競技の場外投票券売場が増加する傾向がある。
【先行技術文献】
【特許文献】
【０００５】
【特許文献１】特開２０１３−１１４４８７号公報
【発明の概要】
【発明が解決しようとする課題】
【０００６】
従来のテレビオッズシステムは、業種別に、テレビオッズ装置、場内映像設備、及び場内モニタを揃える必要が有り、設備への初期投資が大きくなると共に、ランニングコストが嵩む。そのため、場外投票券売場に複数業種の設備を設置することは、主催者の経済的負担が一層重くなる（公共競技の経営が圧迫される）おそれがある。
【０００７】
又、最近の地方のファンの中には、競馬、競輪、オートレース等の各オッズ情報を比較して、投票する競技（業種）を選択したいという要望がある。
【０００８】
しかし、従来のテレビオッズ装置は、競技（業種）を監督する官庁の違い等により公営競技１競技（業種）毎に個別に設置され、独立制御されており、各競技（業種）の競技情報（オッズ情報等）は、それぞれ別々の場内モニタに表示される。そのため、ファンは、競馬、競輪、オートレース等の各オッズ情報を、別々の専用モニタから個別に得る必要があり、複数の競技を比較して投票する競技（業種）を選択したいというファンの要望に応えるシステムでなかった。
【０００９】
そこで、本発明は、ファンに投票する競技（業種）を選択する情報を１台の装置で提供することのできるテレビオッズ装置、テレビオッズシステム、複数のオッズ情報の配信方法及びそのプログラムを提供することを目的とする。
【課題を解決するための手段】
【００１０】
本発明の第１の側面のテレビオッズ装置は、複数の情報サーバから配信される業種毎の競技情報を受信する複数の通信制御部と、前記業種毎の競技情報を編集して１画面表示の映像信号を出力する画面編集手段と、前記画面編集手段で編集された１画面表示の映像信号を場内映像設備へ出力する画面出力部と、を有することを特徴とする。
【００１１】
第２の側面のテレビオッズシステムは、競技毎の競技情報をそれぞれ提供する各主催者センターと、前記各主催者センターに専用ネットワークを介してそれぞれ接続され、前記各主催者センターから提供される前記競技情報を配信する複数の情報サーバと、前記複数の情報サーバから配信される競技毎の競技情報を受信して、受信した前記競技毎の競技情報を編集して１画面表示の映像信号を出力するテレビオッズ装置と、前記１画面表示の映像信号に基づいて複数の競技を１画面表示する場内モニタと、を備えることを特徴とする。
【００１２】
第３の側面の競技情報の配信方法は、各競技の開催場及び併売数を取得する第１処理と、前記開催場と前記併売数により表示パターンをセットしてスケジュールを選択する第２処理と、前記第２処理により選択されたスケジュールに従って、複数の情報サーバから受信した競技毎の競技情報を編集して１画面表示の映像信号を出力する第３処理と、を有することを特徴とする。
【００１３】
第４の側面のプログラムは、前記第１処理〜前記第３処理をテレビオッズ装置のコンピュータに実行させるものである。
【発明の効果】
【００１４】
本発明によれば、テレビオッズ装置は、複数の情報サーバから配信される業種毎の競技情報を受信する複数の通信制御部と、異業種の競技情報を１画面表示するように編集する画面編集部と、画面編集部で編集された１画面表示の映像信号を出力する画面出力部と、を有している。そのため、異業種の競技情報を１台のテレビオッズ装置で１画面に集約してファンに提供することができ、ファンは異業種の競技の中から投票する業種を選択しやすくなる。これにより、ファンへのサービスの向上が図れると共に、主催者側の売上向上が期待できる。更に、新たに、異業種対応を考えている場外投票券売場にとっては、テレビオッズ装置等の初期の設備投資の負担を軽減することができる。
【図面の簡単な説明】
【００１５】
【図１】本発明の実施形態のテレビオッズシステム１の概略を示すシステム構成図である。
【図２】図１中のテレビオッズ装置１０の概略を示すブロック図である。
【図３】図２中のチャンネル数割付テーブル１４Ａの例を示す図である。
【図４】図２中の優先順位指定テーブル１４Ｂの例を示す図である。
【図５】従来のテレビオッズシステム１Ａの概略を示すシステム構成図である。
【図６】本発明の実施形態の複数のオッズ情報の配信方法の処理を示すフローチャートである。
【図７】図２中のスケジュール制御部１５の動作を説明する図である。
【図８】図１中の場内モニタ３０のレース進行状況の表示画面の例を示す図である。
【図９】図１中の場内モニタ３０のオッズ情報の表示画面の例を示す図である。
【図１０】図１中の場内モニタ３０のレース結果の表示画面の例を示す図である。
【発明を実施するための形態】
【００１６】
以下、図面に従って本発明の実施形態を説明する。
【００１７】
（実施形態の構成）
図１は、本発明の実施形態のテレビオッズシステム１の概略を示すシステム構成図である。
【００１８】
本実施形態のテレビオッズシステム１は、複数の公営競技の競技情報を１画面表示するシステムであり、競技情報を提供する主催者センターとして競馬センター２ａ、競輪センター２ｂ、ボートセンター２ｃを有している。競馬センター２ａは、図示しない全国の競馬場と専用のネットワーク３ａを介して接続されており、全国の競馬場の開催情報が集まるようになっている。競輪センター２ｂ、ボートセンター２ｃについても、競馬センター２ａと同様に、全国の競輪場、競艇場から開催情報等が集まるようになっている。この主催者センター（競馬センター２ａ、競輪センター２ｂ、ボートセンター２ｃ）は、主催する競技の開催情報や投票結果の集計、オッズや払戻金の算出等を行い、競技に関する各種情報を競技情報として公衆に提供している。
【００１９】
競馬センター２ａは、専用のネットワーク３ａを介して情報サーバ４ａに接続されている。情報サーバ４ａは、競馬センター２ａから提供される競馬に関する各種情報（以下「競馬情報」という。）を、既存のインタフェース（以下、「既存Ｉ／Ｆ」という。）５ａを介してテレビオッズ装置１０へ配信するものである。
【００２０】
又、競輪センター２ｂは、専用のネットワーク３ｂを介して情報サーバ４ｂに接続されている。情報サーバ４ｂは、競輪センター２ｂから提供される競輪に関する各種情報（以下「競輪情報」という。）を、既存Ｉ／Ｆ５ｂを介してテレビオッズ装置１０へ配信するものである。
【００２１】
更に、ボートセンター２ｃは、専用のネットワーク３ｃを介して情報サーバ４ｃに接続されている。情報サーバ４ｃは、ボートセンター２ｃから提供される競艇（以下「ボートレース」ともいう。）に関する各種情報（以下「競艇情報」という。）を、既存Ｉ／Ｆ５ｃを介してテレビオッズ装置１０へ配信するものである。
【００２２】
テレビオッズ装置１０は、３つの情報サーバ４ａ，４ｂ，４ｃからそれぞれの既存Ｉ／Ｆ５ａ，５ｂ，５ｃを介して提供される異業種の各種情報を編集して、例えば、最大４０チャンネル分の１画面表示の映像信号を場内映像設備２０へ出力するものである。
【００２３】
場内映像設備２０は、テレビオッズ装置１０から入力される複数チャンネル分の映像信号を場内モニタ３０へ出力するものである。場内モニタ３０は、場内映像設備２０から入力される複数チャンネルの映像信号を表示するものである。
【００２４】
図１には、テレビオッズ装置１０が、競馬センター２ａ、競輪センター２ｂ、及びボートセンター２ｃの３つのセンターに接続されたテレビオッズシステム１の例が示されている。しかし、テレビオッズ装置１０に接続されるセンターの数は、３つに限定されず、いずれか２つでも良いし、オートレースの各投票結果を集計し、各競技のオッズや払戻金の算出等を行う図示しないオートセンターを加えて４つのセンターに接続するようにしても良い。
【００２５】
図１では、テレビオッズ装置１０、場内映像設備２０、及び場内モニタ３０は、一組しか示されていないが、場外投票券発売所毎に、テレビオッズ装置１０、場内映像設備２０、及び場内モニタ３０が設置されている。更に、１つの場外投票券発売所に、複数組のテレビオッズ装置１０、場内映像設備２０、及び場内モニタ３０を設置しても良い。
【００２６】
図２は、図１中のテレビオッズ装置１０の概略を示すブロック図である。
テレビオッズ装置１０は、中央演算処理装置（Central Processing Unit、以下、「ＣＰＵ」という。）１１と、競馬通信制御部１２ａと、競輪通信制御部１２ｂと、ボート通信制御部１２ｃと、競馬情報制御部１３ａと、競輪情報制御部１３ｂと、ボート情報制御部１３ｃと、メモリ１４と、スケジュール制御部１５と、画面制御部１６と、画面出力部１７と、を有し、ＣＰＵ１１と、ＣＰＵ１１を除く各部とが内部バス１９により接続されている。
【００２７】
ＣＰＵ１１は、テレビオッズ装置１０の全体を制御するものであり、メモリ１４に記憶されている後述するプログラムを読み込み、プログラムを実行することによりテレビオッズ装置１０全体で機能を発揮するものである。
【００２８】
競馬通信制御部１２ａは、既存Ｉ／Ｆ５ａを介して競馬センター２ａから提供される競馬情報を受信してＣＰＵ１１へ出力するものである。競輪通信制御部１２ｂは、既存Ｉ／Ｆ５ｂを介して競輪センター２ｂから提供される競輪情報を受信してＣＰＵ１１へ出力するものである。更に、ボート通信制御部１２ｃは、既存Ｉ／Ｆ５ｃを介してボートセンター２ｃから提供される競艇情報を受信してＣＰＵ１１へ出力するものである。
【００２９】
ＣＰＵ１１は、競馬通信制御部１２ａ、競輪通信制御部１２ｂ、及びボート通信制御部１２ｃから入力される各競技（業種）の情報から、各競技の開催情報（各レースの投票締切時刻、レース結果確定時刻等）、併売数等を抽出する。ここで、併売数とは、同時に購入することが可能なレース数を意味する。例えば、Ｔ競馬とＮ競馬のみが同時開催中の場合の併売数は、２であり、更に、Ｍ競馬も同時開催中である場合の併売数は３である。抽出された開催データ、併売数等の情報は、メモリ１４内に記憶される。
【００３０】
競馬情報制御部１３ａは、競馬通信制御部１２ａにより受信される競馬情報を、メモリ１４に記憶された開催情報、併売数等の情報と、後述するチャンネル数割付テーブル１４Ａ及び優先順位指定テーブル１４Ｂと、に従ってマージするものである。競輪情報制御部１３ｂは、競輪通信制御部１２ｂにより受信される競輪情報を、メモリ１４に記憶された開催情報、併売数等の情報と、後述するチャンネル数割付テーブル１４Ａ及び優先順位指定テーブル１４Ｂと、に従ってマージするものである。更に、ボート情報制御部１３ｃは、ボート通信制御部１２ｃにより受信される競艇情報を、メモリ１４に記憶された開催データ、併売数等の情報と、後述するチャンネル数割付テーブル１４Ａ及び優先順位指定テーブル１４Ｂと、に従ってマージするものである。
【００３１】
メモリ１４は、開催情報、併売数等の情報に加え、後述するプログラムやチャンネル数割付テーブル１４Ａ、及び優先順位指定テーブル１４Ｂ等を記憶する記憶領域である。
スケジュール制御部１５は、メモリ１４内のテーブル１４Ａに記憶され格納された開催情報、併売数等の情報に基づいて、場内モニタ３０へ表示する１画面表示の映像信
号の順番（スケジュール）をセットするものである。
【００３２】
画面制御部１６は、スケジュール制御部１５でセットされたスケジュールに従って１画面表示の映像信号を編集するものである。ＣＰＵ１１、競馬情報制御部１３ａ、競輪情報制御部１３ｂ、ボート情報制御部１３ｃ、メモリ１４、スケジュール制御部１５、及び画面制御部１６により、画面編集手段が構成されている。
【００３３】
画面出力部１７は、画面制御部１６により編集された１画面表示の映像信号を場内映像設備２０へ出力するものである。
【００３４】
図２では、１つのテレビオッズ装置１０のブロック図しか示されていないが、実際には、例えば、Ｎ競馬、Ｍ競馬といった場外投票券発売所毎に、複数のテレビオッズ装置１０が設置されている。
【００３５】
図３は、図２中のチャンネル数割付テーブル１４Ａの例を示す図である。
図３を見ると、チャンネル数割付テーブル１４Ａの行数は、１業種開催について併売数１〜４の４行と、２業種開催について併売数１〜４の４行と、３業種開催について併売数１〜４の３行と、合計１１行である。チャンネル数割付テーブル１４Ａの列数は、競馬オッズ、競輪オッズ、競艇オッズ、及び共通（結果、進行表示等）の合計４列である。共通（結果、進行表示等）には、それぞれ４チャンネルが割付られている。
【００３６】
先ず、１業種開催の場合について、説明する。尚、１業種開催とは、競馬、競輪、競艇のうち１つの競技のみが開催されていることを意味する。図３に示されたチャンネル数割付テーブル１４Ａにおいて、例えば、競馬のみがＯ競馬場で開催されている場合、１業種開催、単売の行と、競馬オッズの列の交差する欄に記入されたように、Ｏ競馬場のレースに対して３０チャンネル（３０ｃｈ／場）が割り付けられる。競馬のみがＯ競馬場とＦ競馬場の２箇所で開催されている場合は、図３中の１業種開催、２併売の行と、競馬オッズの列の交差する欄に記入されたように、１競馬場当たり、２０チャンネル（２０ｃｈ／場）が割り付けられる。この場合は、２箇所の競馬場にそれぞれ２０チャンネルが割り付けられるので、最大チャンネル数の４０チャンネルが競馬のレースに割り付けられる。
【００３７】
更に、競馬のみが３箇所の競馬場で開催されている場合は、図３中の１業種開催、３併売の行と、競馬オッズの列の交差する欄に記入されたように、１競馬場当たり、１０チャンネルが割り付けられる。この場合は、３箇所の競馬場にそれぞれ１０チャンネルが割り付けられるので、合計３０チャンネルが競馬のレースに割り付けられる。
【００３８】
１業種開催について、競馬を例に説明したが、例えば、Ｋ競輪のみ開催の場合は、図３中の１業種開催、単売の行と、競輪オッズの列の交差する欄に記入されたように、Ｋ競輪のレースに対して３２チャンネルが割り付けられる。同様に、例えば、Ｈ競艇のみ開催の場合は、図３の１業種開催、単売の行と、競艇オッズの列の交差する欄に記入されているように、Ｈ競艇のレースに対して３２チャンネルが割り付けられる。
【００３９】
１業種開催、単売の場合、競馬のレースに割り付けられるチャンネル数が３０チャンネル／場（ｃｈ／場）であるのに対し、競輪及び競艇のレースに割り付けられるチャンネル数が３２チャンネルであるのは、競技種目の種類によって、ファンに提供する情報量が異なるためである。
【００４０】
次に、２業種開催の場合について説明する。例えば、Ｏ競馬場とＦ競馬場とで競馬レースが開催され、Ｋ競輪が同時開催される場合について説明する。
【００４１】
この場合は、競馬については、図３中の２業種開催、２併売の行と、競馬オッズの列の交差する欄に記入されているように、Ｏ競馬場とＦ競馬場の各レースに８チャンネルが割り付けられる。競輪については、図３中の２業種、単売の行と、競輪オッズの列の交差する欄に記入されているように、川崎競輪のレースに１６チャンネルが割り付けられる。この場合は、８チャンネル×２＋１６チャンネルとなり、合計３２チャンネルが割り付けられる。
【００４２】
最後に、３業種開催の場合について説明する。例えば、Ｏ競馬場とＦ競馬場とで競馬が開催され、Ｋ競輪とＨ競艇が同時開催される場合について説明する。
【００４３】
この場合は、競馬については、図３中の３業種開催、２併売の行と、競馬オッズの列の交差する欄に記入されているように、Ｏ競馬場とＦ競馬場の各レースに６チャンネルが割り付けられる。競輪については、図３中の３業種、単売の行と、競輪オッズの列の交差する欄に記入されているように、Ｋ競輪のレースに１２チャンネルが割り付けられる。更に、競艇については、図３中の３業種、単売の行と、競艇オッズの列の交差する欄に記入されているように、Ｈ競艇のレースに１２チャンネルが割り付けられる。この場合は、６チャンネル×２＋１２チャンネル＋１２チャンネルとなり、合計３６チャンネルが割り付けられる。
【００４４】
今まで、合計の割付チャンネル数が、テレビオッズ装置１０の最大出力チャンネル数の４０チャンネルを超えない場合について説明した。
【００４５】
以降、図３に示されたチャンネル数割付テーブル１４Ａにおける合計の割付チャンネル数が、テレビオッズ装置１０の最大出力チャンネル数の４０チャンネルを超える場合についてのチャンネル数の割り付けについて説明する。
【００４６】
例えば、Ｕ競輪とＭ競輪のみが同時開催される場合は、図３中の１業種、２併売の行と、競輪オッズの列の交差する欄に記入されているように、Ｕ競輪とＭ競輪のレースに２４チャンネルが割り付けられる。この場合は、合計の割付チャンネル数は、４８チャンネルとなり、テレビオッズ装置１０の最大出力チャンネル数の４０チャンネルを超えてしまう。
【００４７】
このような場合は、予め、優先順位を指定しておくことにより、最大出力チャンネル数の４０チャンネルを超えない範囲で、チャンネルを割り付ける。
【００４８】
図４は、図２中の優先順位指定テーブル１４Ｂの例を示す図である。
図４に示された優先順位指定テーブル１４Ｂの例では、競馬場は、Ｏ競馬、Ｋ競馬、Ｕ競馬の順に優先順位が指定されている。競輪場は、Ｍ競輪、ＵＴ競輪、ＭＤ競輪の順に優先順位が指定されている。更に、競艇場は、ＫＲ競艇、ＴＤ競艇、ＥＤ競艇の順に優先順位が指定されている。
【００４９】
例えば、Ｍ競輪及びＵＴ競輪が同時開催の場合には、１業種開催、２併売となるので、図３中の１業種開催、２併売の行と、競輪オッズの列との交差する欄に記載されたように、Ｍ競輪及びＵＴ競輪のレースに２４チャンネルが割り付けられる。しかし、２つの競輪のレースに２４チャンネルを割り付けると、合計４８チャンネルとなり、最大チャンネル数の４０チャンネルを超えてしまう。
【００５０】
この場合には、図４中の競輪オッズの列で優先順位が高いＭ競輪のレースには２４チャンネルを割り付けて、ＵＴ競輪のレースには、１６（＝４０−２４）チャンネルを割り付ける。
【００５１】
開催業種数及び併売数とから図３のチャンネル数割付テーブル１４Ａに基づいて、各業種のレースに割り付けてられたチャンネル数の合計チャンネル数が、最大チャンネル数の４０チャンネルを超える場合は、図４の優先順位指定テーブル１４Ｂに基づいて、４０チャンネルを超えないように、チャンネル数の割り付けが調整される。
【００５２】
ところで、各地域の競馬、競輪、ボートレース等の公営競技場の分布を見ると、競馬場は四国を除く全国に分布している。競輪場は関東甲信越と中部・東海に集中している。競艇場は、北海道、東北を除く全国に分布している。
【００５３】
このように、全国に分布する公営競技場の業種に偏在があることから、テレビオッズ装置１０が設置されている場外投票券発売所の所在地により、ファンの嗜好が異なることが推察される。例えば、北海道地方には、競馬ファンが多く、競艇ファンは少ない。競艇ファンは、関東甲信越、中部・東海地方に多い。
【００５４】
従って、テレビオッズ装置１０が設置されている場外投票券発売所の所在地のファンの嗜好、傾向に合わせて、図４の優先順位指定テーブル１４Ｂの優先順位を指定すれば、所在地のファンの嗜好、傾向に合わせたサービスが提供できる。
【００５５】
（実施形態の動作）
本発明の実施形態の動作について、（Ｉ）従来のテレビオッズシステムの動作と、（II）本発明の実施形態の複数のオッズ情報の配信方法の処理と、に分けて説明する。
【００５６】
（Ｉ）従来のテレビオッズシステムの動作
図５は、従来のテレビオッズシステム１Ａの概略を示すシステム構成図であり、本発明の実施形態のテレビオッズシステム１を示す図１と共通の要素には共通の符号が付されている。
【００５７】
従来のテレビオッズシステム１Ａは、図１に示されたテレビオッズシステム１と同様に、競馬センター２ａ、競輪センター２ｂ、及びボートセンター２ｃと、３つのネットワーク３ａ，３ｂ，３ｃと、３つの情報サーバ４ａ，４ｂ，４ｃと、を有している。
【００５８】
従来のテレビオッズシステム１Ａは、図１に示されたテレビオッズシステム１と異なり、競馬、競輪、ボートレースの業種毎に、それぞれの３つのテレビオッズ装置１０ａ，１０ｂ，１０ｃと、３つの場内映像装置２０ａ，２０ｂ，２０ｃと、３つの場内モニタ３０ａ，３０ｂ，３０ｃを有している。
【００５９】
競馬用のテレビオッズ装置１０ａから場内映像設備２０ａへは、１５チャンネル分の映像信号が出力されている。競輪用のテレビオッズ装置１０ｂから場内映像設備２０ｂへは、１３チャンネル分の映像信号が出力されている。更に、競艇用のテレビオッズ装置１０ｃから場内映像設備２０ｃへは、１６チャンネル分の映像信号が出力されている。
【００６０】
図５に示された従来のテレビオッズシステム１Ａでは、１つの場外投票券発売所のファンに、３業種の情報を表示して提供するためには、それぞれ３台のテレビオッズ装置１０ａ，１０ｂ，１０ｃと、場内映像設備２０ａ，２０ｂ，２０ｃと、場内モニタ３０ａ，３０ｂ，３０ｃと、を設置しなければならない。主催者にとっては、業種毎に設備を設ける必要があるので、設備投資費用が高くなるという課題がある。
【００６１】
一方、３台の場内モニタ３０ａ，３０ｂ，３０ｃに３業種の情報がそれぞれ別々に表示されるため、３業種の情報を比較するためには、３台の場内モニタ３０ａ，３０ｂ，３０ｃを見比べる必要があり、３業種の情報を比較したいといったファンの要望には応えられないシステムであった。
【００６２】
これに対し、従来のテレビオッズシステム１Ａの課題を解決する図１のテレビオッズシステム１の動作について以下、説明する。
【００６３】
（II）本発明の実施形態の複数のオッズ情報の配信方法の処理
図６は、本発明の実施形態の複数のオッズ情報の配信方法の処理を示すフローチャートである。
【００６４】
図２〜図４を参照しつつ、図６のフローチャートに沿って、本発明の実施形態の複数のオッズ情報の配信方法の処理について説明する。
【００６５】
テレビオッズ装置１０の処理が開始されると、ステップＳ１へ進む。ステップＳ１において、ＣＰＵ１１は、競馬通信制御部１２ａからの競馬情報に基づいて競馬レース開催の有無を判断し、競馬開催有りの場合は（Ｙ）、ステップＳ２へ進み、競馬開催無しの場合は（Ｎ）、ステップＳ３へ進む。ステップＳ２において、ＣＰＵ１１は、競馬情報制御部１３ａへ開催情報、併売数を格納し、ステップＳ３へ進む。
【００６６】
ステップＳ３において、ＣＰＵ１１は、競輪通信制御部１２ｂからの競輪情報に基づいて競輪レース開催の有無を判断し、競輪開催有りの場合は（Ｙ）、ステップＳ４へ進み、競輪開催無しの場合は（Ｎ）、ステップＳ５へ進む。ステップＳ４において、ＣＰＵ１１は、競輪情報制御部１３ｂへ開催データ、併売数を格納し、ステップＳ５へ進む。
【００６７】
ステップＳ５において、ＣＰＵ１１は、ボート通信制御部１２ｃからの競艇情報に基づいて競艇開催の有無を判断し、競艇開催有りの場合は（Ｙ）、ステップＳ６へ進み、競輪開催無しの場合は（Ｎ）、ステップＳ７へ進む。ステップＳ６において、ＣＰＵ１１は、競艇情報制御部１３ｃへ開催情報、併売数を格納し、ステップＳ７へ進む。
【００６８】
ステップＳ７において、ＣＰＵ１１は、開催場の有無を判断し、開催場有りの場合は（Ｙ）、ステップＳ８へ進み、開催場無しの場合は（Ｎ）、ステップＳ１へ戻り、ステップＳ７で開催場有りと判断されるまで、ステップＳ１〜Ｓ７の処理を繰り返す。
【００６９】
ステップＳ８において、ＣＰＵ１１は、スケジュール制御部１５に、開催場と併売数により表示パターンをセットするスケジュール処理を行わせ、ステップＳ９へ進む。
【００７０】
スケジュール制御部１５は、ステップＳ１〜Ｓ７の処理により開催レースが確認された各業種の開催競技場の開催スケジュール情報に基づいて、時刻に応じて場内モニタ３０に表示する表示パターンをセットする。１画面表示の表示パターンとしては、後述するレース進行状況、オッズ情報、レース結果等の表示パターンが想定される。
【００７１】
図７は、図２中のスケジュール制御部１５の動作を説明する図であり、競馬、競輪、ボートレース（ＢＲ）のレーススケジュールが矢印で表されている。各矢印の羽根部分が各レースの投票締切時刻を表し、矢尻部分がレースの結果確定時刻を表している。図７の左下部分に、表示パターンをセットしたスケジュール管理例が示されており、時間の経過に沿って左側から右方向へ進行状況、オッズ情報、レース結果の順に表示パターンがスケジューリングされている。
【００７２】
ステップＳ９において、ＣＰＵ１１は、ステップＳ８の処理によりスケジューリングされた表示パターンに沿って、各業種の情報制御部１３ａ，１３ｂ，１３ｃに処理させて、各業種の表示データ用のデータを取得し、ステップＳ１０へ進む。
【００７３】
ステップＳ１０において、ＣＰＵ１１は、画面制御部１６に、１画面表示の映像データを編集する描画処理を行い、描画処理した１画面表示の映像信号を場内映像設備２０を介して場内モニタ３０へ出力し、ステップＳ１１へ進む。ここで、描画処理は、例えば、レースの進行状況を表す表示パターンであれば、ファンの便宜に合うように、各業種毎に、締切時刻までの時間が長い順に、開催レースの行状況を表す情報を並べ替える処理等が含まれている。
【００７４】
ステップＳ１１において、ＣＰＵ１１は、全業種について、各業種の通信制御部１２ａ，１２ｂ，１２ｃを介して、上位システムとの接続が問題ない（ＯＫ）かを診断し、ＯＫであれば（Ｙ）、ステップＳ１４へ進み、ＯＫでなければ（Ｎ）、ステップＳ１２へ進む。
【００７５】
ステップＳ１２、Ｓ１３において、ＣＰＵ１１は、上位システムとの接続がＯＫでない業種の上位システムとの接続の診断を一定時間継続し、一定時間内に、該当業種の上位システムとの接続が復旧すると（Ｓ１２でＹ）、ステップＳ１４へ進み、復旧しないまま一定時間が経過してタイムアウトになると（Ｓ１３でＹ）、ステップＳ１へ戻る。
【００７６】
ステップＳ１４において、ＣＰＵ１１は、全業種の開催が終了したか否かを判断し、全業種の開催が終了していなければ（Ｎ）、ステップＳ１へ戻り、ステップＳ１４で全業種の開催が終了するまで、ステップＳ１〜Ｓ１４の処理を繰り返し、ステップＳ１４において、ＣＰＵ１１が全業種の開催が終了したと判断すると（Ｙ）、処理を終了する。
【００７７】
最後に、図１中の場内モニタ３０の表示画面について説明する。
図８は、図１中の場内モニタ３０のレース進行状況の表示画面の例を示す図である。
【００７８】
図８に示された表示画面３２は、レース進行状況の表示画面であり、画面が３行×４列１２の欄Ｄ（１，１）〜Ｄ（３，４）により構成されている。各行には、上から下へ競馬、競輪、ボートレースの情報が表示されている。このレース進行を表示する画面３２は、３行×４列の構成であるので、３業種×４併売が表示量の上限である。テレビオッズ装置１０は、チャンネル数割付テーブル１４Ａ（図３参照）及び優先順位指定テーブル１４Ｂ（図４参照）に基づいて、３業種×４併売が表示量の上限に収まるように、編集した１画面表示の映像信号を出力する。
【００７９】
競馬、競輪、競艇の３業種開催であり、競馬は３併売、競輪は２併売、競艇は４併売のレース進行状況の例が、図８に示されている。更に、図８の各業種の欄を行方向、例えば、一番上の行の欄Ｄ（１，１）〜Ｄ（１，３）を見ると、投票締切時刻に対し、時間に余裕の有るレースが左に表示されている。その結果、一番左の列の欄Ｄ（１，１）、Ｄ（２，１）、Ｄ（３，１）を見ると、各業種における投票締切時刻までに時間に余裕の有る競技場のレース番号を知ることができる。
【００８０】
ファンは、図８に示されたレース進行の表示画面３２を見ることにより、例えば、締切まで１０分以上あるレースが、◎◎競馬の第２レースと、○○競馬の第７レースと、○×△競艇の第２レースと、であることを知ることができる。そのため、ファンは、１つの場内モニタ３０を見ることにより、投票に参加するのに好適なレースは、どの業種の第何レースかを知ることができる。
【００８１】
図８に示したレース進行状況の表示画面３２では、「●●競馬  ６Ｒ  発売を締切ました  ご投票ありがとうございました」という発売を締切った競技のレース番号も表示されているが、発売を締切った競技のレース番号も表示は、例えば、３０秒間表示した後、消去するようにしても良い。
【００８２】
更に、「●●競馬  ６Ｒ  発売を締切ました  ご投票ありがとうございました」の表示を消去するのに合わせて、図８の（１行、１列）の欄Ｄ（１，１）の表示及び（１行、２列）の欄Ｄ（１，２）の表示を、それぞれ、（１行、１列）→（１行、２列）、（１行、２列）→（１行、３列）のように、右に１つシフトして、（１行、１列）の欄Ｄ（１，１）に、新たに、「●●競馬  ７Ｒ  締切３０分前」と表示するようにしても良い。
【００８３】
２行目の競輪、３行目のボートレースについても、１行目の競馬と同様に、レースの進行状況に合わせて、表示内容を更新するものとする。
【００８４】
図９は、図１中の場内モニタ３０のオッズ情報の表示画面の例を示す図である。
図９に示された表示画面３４は、オッズ情報の表示画面であり、２行×２列の４つの欄Ｄ（１，１）〜Ｄ（２，２）により構成されている。図９中の（１行、１列）の欄を見ると、◎◎競馬の第２レース賭け式、組番毎の現時点のオッズが表示されている。単勝では、５番が１番人気であり、複勝では、２−５が１番人気である。３連単では、２−３−５が一番人気であり、３単複では、１−３−５が１番人気である。ファンは、レースの展開を推理し、自らの期待度とオッズ値とを考量して、賭け式及び組番の候補を決める。
【００８５】
ファンは、図９中の（１行、２列）の欄、（２行、１列）の欄、（２行、２列）の欄についても、同様に、レースの展開を推理し、自らの期待度とオッズ値とを考量して、賭け式及び組番の候補を決める。そして、ファンは、２業種×２レースの１つ又は複数のレースを選択し、そのレースにおける賭け式及び組番を決定して投票を行う。
【００８６】
図１０は、図１中の場内モニタ３０のレース結果の表示画面の例を示す図である。
図１０に示された表示画面３６は、レース結果の表示画面であり、１画面が３行×６列の１８の欄Ｄ（１，１）〜Ｄ（３，６）により構成されている。図１０には、○○競馬、□□競輪、△△△ボートの各第１レース〜第６レースまでの結果が表示されている。ファンは、異業種のレース結果を１台の場内モニタ３０のレース結果の表示画面３６で知ることができる。
【００８７】
図１０に示したレース結果の表示画面の例では、各業種について、１つの競技場のレース結果しか表示していないが、○○競馬のレースが確定した後に、◎◎競馬のレースが確定した時点で、１行目のレース結果表示を、○○競馬のレース結果から◎◎競馬のレース結果に切り替えるようにしても良い。競輪、ボートレースの結果表示についても同様である。
【００８８】
（実施形態の効果）
本発明の実施形態によれば、以下の（ａ）〜（ｄ）のような効果がある。
【００８９】
（ａ）  テレビオッズ装置１０は、出力する１画面表示の映像信号により、図８に示されているように、場内モニタ３０に異業種のレースの進行状況を一覧表示させることができる。これにより、ファンは、異業種のレースの進行状況を場内モニタ３０の図８に示されているように、比較して閲覧することができるので、ファンは、異業種のレースから投票するのに好都合なレースを選択することができる。
【００９０】
（ｂ）  テレビオッズ装置１０は、出力する１画面表示の映像信号により、図９に示されているように、場内モニタ３０に異業種のオッズ情報を一覧表示させることができる。これにより、ファンは、１台の場内モニタ３０の画面を見るだけで、異業種のレースのオッズを比較しながら、投票するレース、賭け式、組番等の選択を行うことができる。
【００９１】
（ｃ）  テレビオッズ装置１０は、出力する１画面表示の映像信号により、図１０に示されているように、場内モニタ３０に異業種のレース結果を一覧表示させることができる。これにより、ファンは、１台の場内モニタ３０の画面を見るだけで、異業種のレースの結果を一度に知ることができ、払戻金に基づいて、新たな投票を行うことができる。
【００９２】
（ｄ）  上述したように、テレビオッズ装置１０による１画面表示により、ファンサービスの向上に供することができるので、投票券の売上の向上が期待できる。
（変形例）
本発明の変形例として、例えば、以下の（ａ）、（ｂ）のようなものがある。
【００９３】
（ａ）  本発明の実施形態の説明では、締切が迫っている２業種のそれぞれ２レースの現時点のオッズが表示された場内モニタ３０の表示画面の例（図９）を示したが、更に、各競馬場の良、やや重、重といった馬場状態やボートレース場の天気、風速等の情報を表示させるようにしても良い。このようにすれば、ファンは、より臨場感をもってレースの投票に参加でき、ファンへのサービス向上につながる。
【００９４】
（ｂ）  本発明の実施形態の説明では、場内モニタ３０の表示画面の例として、図８の表示画面（レース進行状況）３２と、図９の表示画面（オッズ情報表示）３４と、図１０の表示画面（レース結果情報）３６と、を示したが、これらの表示画面を、各業種の開催レースの投票締切時、又は／及びレース結果確定時、のタイミングで、画面を切り替えるようにしても良い。このようにすれば、ファンは、レース進行に応じた適切な情報を得ることができるので、ファンへのサービス向上につながる。
【００９５】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００９６】
１，１Ａ                                    テレビオッズシステム
２ａ，２ｂ，２ｃ                              各業種センター
３ａ，３ｂ，３ｃ                              ネットワーク
４ａ，４ｂ，４ｃ                              情報サーバ
５ａ，５ｂ，５ｃ                              既存Ｉ／Ｆ
１０                                          テレビオッズ装置
１１                                          ＣＰＵ
１２ａ，１２ｂ，１２ｃ                        各業種通信制御部
１３ａ，１３ｂ，１３ｃ                        各業種情報制御部
１４                                          メモリ
１４Ａ                                        チャンネル数割付テーブル
１４Ｂ                                        優先順位指定テーブル
１５                                          スケジュール制御部
１６                                          画面制御部
１７                                          画面出力部
１９                                          内部バス
２０                                          場内映像設備
３０                                          場内モニタ
【図１】
2015222462.tif 000003
【図３】
2015222462.tif 000004
【図４】
2015222462.tif 000005
【図５】
2015222462.tif 000006
【図６】
2015222462.tif 000007
【図７】
2015222462.tif 000008
【図８】
2015222462.tif 000009
【図９】
2015222462.tif 000010
【図２】
2015222462.tif 000011
【図１０】
2015222462.tif 000012